(57)【要約】      （修正有）【課題】サウナ等のルーム内を低温で快適な湿度に維持し、常に新鮮な空気をルーム内に循環させることができる温湿度調整システムの提供。【解決手段】温湿度調整システムは、ルーム本体１とこれを取り囲む建物躯体２との間に設けた空間３を熱する発熱手段１０と、ルーム本体１内の所要箇所に設けられ、ルーム本体１内の温度及び湿度を計測する温湿度センサー７と、ルーム本体１内の温度及び湿度を一定に保つ空気を生成する加温湿装置８と、加温湿装置８により生成された空気をルーム本体１内に導入する給気送風機６ａと、ルーム本体１内の空気を外部へ排出する排気送風機６ｂと、ルーム本体１内の設定温度及び設定湿度と温湿度センサー７により計測した温度及び湿度とを比較し、設定した温度及び湿度となるように、発熱手段１０及び加温湿装置８を制御する温湿度調整装置１００と、を備え、ルーム本体１内を温度３８℃〜４５℃、湿度３０％〜５０％に保つ。【選択図】図１
2009279136.tif 000002
【特許請求の範囲】
【請求項１】
ルーム本体とこれを取り囲む建物躯体との間に空間を設けてなるサウナルーム等で使用される温湿度調整システムであって、
前記空間を熱する発熱手段と、
前記ルーム本体内の所要箇所に設け、該ルーム本体内の温度及び湿度を計測する温湿度センサーと、
前記ルーム本体内の温度及び湿度を一定に保つ空気を生成する加温湿装置と、
前記加温湿装置により生成された空気を前記ルーム本体内に導入する給気送風機と、
前記ルーム本体内の空気を外部へ排出する排気送風機と、
あらかじめ前記ルーム本体内の温度設定及び湿度設定を行い、該設定温度及び設定湿度と前記温湿度センサーにより計測した温度及び湿度とを比較し、前記設定温度及び設定湿度となるように、前記発熱手段及び前記加温湿装置を制御する温湿度調整装置と、を備え、
前記ルーム本体内を温度３８℃〜４５℃、湿度３０％〜５０％に保つことを特徴とする温湿度調整システム。
【請求項２】
前記加温湿装置は、外気を導入し、該外気により前記ルーム本体内の温度及び湿度を一定に保つ空気を生成してなる請求項１に記載の温湿度調整システム。
【発明の詳細な説明】
【技術分野】
【０００１】
本発明は、サウナルーム等で使用される温湿度調整システムに関する。
【背景技術】
【０００２】
一般に健康の促進や、あるいは腰痛や肩こり、膝の痛みなど身体の痛い時に、温泉やサウナに入って身体を温めて治療することが行なわれている。この温泉やサウナは、湯や蒸気により身体を温めて全身の血行を高め、発汗作用を促進して老廃物を体外に排出させることにより治療効果が得られるものである。しかしながら、これらは身体の表面から温めるので内部まで温まるのに時間がかかり、また高温多湿の環境下で入浴していると心臓に負担がかかる問題がある。
【０００３】
そこで、近年、高温サウナに比べて利用者の身体的負担が少ない低温浴施設として岩盤浴施設が注目されている。岩盤浴による入浴施設は、４０度〜４２度に温めた岩盤の上にタオルケット等を敷き、そこに浴着のまま横になって、温熱効果を得るものである。この岩盤浴は岩盤の上に横に寝るだけで遠赤外線により身体を芯から温め、血液の新陳代謝を高める効果を有している。このような岩盤温熱浴施設に関する技術として、例えば、特許文献１に記載の技術が知られている。
【０００４】
【特許文献１】特開２００４−１３００４７号公報
【発明の開示】
【発明が解決しようとする課題】
【０００５】
しかしながら、このような岩盤浴施設は、湿度が高いうえに換気が非常に悪く、岩盤室などで気分が悪くなり倒れる人が続出し、さらには、湿度が高いため細菌が繁殖しやすく不衛生であるという問題があった。
【０００６】
そこで、本発明は、上記の点に鑑み、サウナ等のルーム内を低温でしかも、快適な湿度を維持することができ、常に新鮮な空気をサウナ等のルーム内に循環させることができる温湿度調整システムを提供することを目的としている。
【課題を解決するための手段】
【０００７】
上記目的を達成するための手段を図面の参照符号を付して示せば、請求項１の発明に係る温湿度調整システムによれば、ルーム本体１とこれを取り囲む建物躯体２との間に空間３を設けてなるサウナルーム等で使用される温湿度調整システムであって、前記空間３を熱する発熱手段１０と、前記ルーム本体１内の所要箇所に設け、該ルーム本体１内の温度及び湿度を計測する温湿度センサー７と、前記ルーム本体１内の温度及び湿度を一定に保つ空気を生成する加温湿装置８と、前記加温湿装置８により生成された空気を前記ルーム本体１内に導入する給気送風機６ａと、前記ルーム本体１内の空気を外部へ排出する排気送風機６ｂと、あらかじめ前記ルーム本体１内の温度設定及び湿度設定を行い、該設定温度及び設定湿度と前記温湿度センサー７により計測した温度及び湿度とを比較し、前記設定温度及び設定湿度となるように、前記発熱手段１０及び前記加温湿装置８を制御する温湿度調整装置１００と、を備え、前記ルーム本体１内を温度３８℃〜４５℃、湿度３０％〜５０％に保つことを特徴とするものとしている。
【０００８】
請求項２の発明に係る温湿度調整システムによれば、上記請求項１の温湿度調整システムにおいて、前記加温湿装置８は、外気を導入し、該外気により前記ルーム本体１内の温度及び湿度を一定に保つ空気を生成してなるものとしている。
【発明の効果】
【０００９】
上記解決手段による発明の効果を、後述する実施形態の参照符号を付して説明すると、請求項１の発明によれば、加温湿装置８によりルーム本体１内の温度及び湿度を一定に保つ空気を生成し、その空気を、給気送風機６ａにより前記ルーム本体１内に導入し、ルーム本体１内に漂っている古い空気を排気送風機６ｂにより外部へ排出するため、常に新鮮で、且つ、最適な温度及び湿度の空気をルーム本体１内に循環させることができる。そして、それに加え、前記ルーム本体１内の所要箇所に、ルーム本体１内の温度及び湿度を計測する温湿度センサー７を設け、あらかじめ前記ルーム本体１内の温度設定及び湿度設定を行い、該設定温度及び設定湿度と前記温湿度センサー７により計測した温度及び湿度とを比較し、前記設定温度及び設定湿度となるように、前記発熱手段１０及び前記加温湿装置８を制御する温湿度調整装置１００を備えている。そのため、血圧の高い人が入浴しても心臓に負担がかからず安心して入浴することができ、人間の細胞が正常に活性化し、さらには、細菌感染や、疲労物質などで傷ついた細胞を修復し、ガン細胞や病原菌を攻撃する、ナチュラルキラー（ＮＫ）細胞を活性化させ、免疫力を高めてくれると言われているヒートショックプロテイン（ＨｅａｔＳｈｏｃｋＰｒｏｔｅｉｎ）という抗ストレス蛋白質を産生させることができる温度３８℃〜４５℃を保ち、さらには、入浴者がじっくり汗をかくために長時間無理せずサウナルーム等にいることができる快適な湿度３０％〜５０％に保つことができる。
【００１０】
請求項２の発明によれば、前記加温湿装置８に一端外気を導入し温度及び湿度を一定に保つ空気を生成している。そのため、単に外気をルーム本体１内に直接いれているわけではないため、ルーム本体１内の温湿度が急激に変化せず、ルーム本体１内の温湿度が略均一に保たれ、ルーム本体１内の温度や湿度を急激に加温又は加湿等しなくてもよいため、無駄なエネルギー損失を防止することができる。
【発明を実施するための最良の形態】
【００１１】
以下に本発明の好適な実施形態を図面に基づいて説明すると、図１は本発明の一実施形態をサウナルームに使用した場合の縦断面図である。図において、サウナルームは、ルーム本体１と、これを取り囲む建物躯体２と、ルーム本体１と建物躯体２との間に設けられた空間３とで構成されている。
【００１２】
ルーム本体１は、透明又は半透明の樹脂製からなる内装天井壁ベース４ａ、内装側壁ベース４ｂ、及び、内装床壁ベース４ｃを構成し、夫々、接着剤等によって精製塩又は天然塩の溶融成形物５が固定されている。さらに、内装側壁ベース４ｂと内装床壁ベース４ｃで構成されるコーナー部に給気送風機６ａを設け、対角線上に排気送風機６ｂを設けてなる。また、ルーム本体１内には、内装天井壁ベース４ａ、内装側壁ベース４ｂ、内装床壁ベース４ｃに夫々埋設された温湿度センサー７が所要箇所に設けられている。
【００１３】
建物躯体２は、天井壁２ａ、側壁２ｂ、床壁２ｃが鉄筋コンクリート等によって構成されている。
【００１４】
空間３には、床壁２ｃに沿うように発泡スチロールや発泡ウレタン等の断熱材９が設けられ、側壁２ｂの略半分程度にも同様の断熱材９が設けられている。そして、その断熱材９を覆うように発熱手段１０が設けられている。なお、図示はしないが、もちろん、サウナルーム内に入るための扉は設けられている。そして、その扉は、サウナルーム内の外観を損なわないように、サウナルーム内同様、透明又は半透明の樹脂製からなるベースに精製塩又は天然塩の溶融成形物５が固定されているもので構成されている。
【００１５】
発熱手段１０は面状電熱発熱体等からなるもので、内装側壁ベース４ｂ及び内装床壁ベース４ｃを介して、ルーム本体１内を３８℃〜４５℃となるように、空間３を加熱している。なお、発熱手段１０の制御は、温湿度調整装置１００にて制御されている。また、発熱手段としては、ボイラーから加熱水を循環供給するパイプを用いてもよく、電熱コイルを用いてもよい。
【００１６】
精製塩又は天然塩の溶融成形物５は、粉末状の精製塩又は天然塩を、融点以上沸点以下の温度で加熱溶融し、その加熱溶融した精製塩又は天然塩を皿型の成形型に流し入れ、冷却固化させて成型したものである。それをタイルのように貼り合わせて、サウナルーム内を形成している。なお、精製塩又は天然塩の溶融成形物５はどのような形でもよいが、正六角形であるのが好ましい。タイルのように張り合わせた時に、ハニカム構造になるため、横ずれや縦ずれが生じ難いためである。
【００１７】
給気送風機６ａは、スリット状の開口部を設け、内装側壁ベース４ｂ及び内装床壁ベース４ｃの縁に沿って長手方向に連続して設けられているものである。このように設けられた給気送風機６ａは、加温湿装置８からパイプ等により導出された空気をスリット状の開口部からルーム本体１内に導入する。そして、給気送風機６ａの対角線上に設けられた排気送風機６ｂは、給気送風機６ａと同様に内装側壁ベース４ｂ及び内装天井壁ベース４ａの縁に沿って長手方向に連続して設けられている。このように設けられた排気送風機６ｂは、内部に設けられたファン等により、ルーム本体１内の空気を外部へ排出する。そのため、サウナルーム内は、常に新鮮で最適な温度及び湿度に調整された新鮮な空気が循環していることとなる。
【００１８】
温湿度センサー７は、現在のルーム本体１内の温度及び湿度を計測し、計測した温度及び湿度のデータを温湿度調整装置１００に出力する。なお、そのデータを、温湿度調整装置１００に出力する方法としては、無線で出力してもよいし、ケーブル等を使用して出力してもよい。
【００１９】
加温湿装置８は、外気を導入し、その外気を温湿度調整装置１００から指令された温度や湿度にするために、加温、減温、加湿又は吸湿を行う。そして、導入した外気が最適な温度や湿度になったところで、その最適な温度や湿度に調整された空気を、パイプ等を使用して給気送風機６ａに導出する。
【００２０】
次に、温湿度調整装置について図２を用いて説明すると、図２は本発明の一実施形態に係る温湿度調整装置のブロック図である。図２において、温湿度調整装置１００は、入力装置１００ａ、記憶部１００ｂ、センサー受信部１００ｃ、温湿度調整部１００ｄ、温度調整部１００ｅ、及び表示装置１００ｆで構成されている。
【００２１】
入力装置１００ａは、ルーム本体１内の温度を３８℃〜４５℃にする設定をし、ルーム本体１内の湿度を３０％〜５０％にする設定をする。そして、設定された値が記憶部１００ｂに記憶される。なお、ルーム本体１内の温度設定及び湿度設定は、表示装置１００ｆに表示されるため、入力者の入力ミスを防止することができる。
【００２２】
センサー受信部１００ｃは、ルーム本体１内の温湿度センサー７からの現在のルーム本体１内の温度及び湿度のデータを受信し、そのデータを温湿度調整部１００ｄ及び温度調整部１００ｅに出力する。なお、そのデータは、表示装置１００ｆにも出力されているため、現在のルーム本体内の温度及び湿度が表示される。
【００２３】
温湿度調整部１００ｄは、現在のルーム本体１内の温度及び湿度データと、記憶部１００ｂに記憶しておいたルーム本体１内の温度設定及び湿度設定データとを比較し、現在のルーム本体１内の温度及び湿度データが、記憶部１００ｂに記憶しておいたルーム本体１内の温度設定及び湿度設定データと一致しているか否かを確認する。一致していれば、加温湿装置８に現在の温度及び湿度を保つような指令データを作成し、一致していなければ、加温湿装置８にルーム本体１内が、記憶部１００ｂに記憶された温度及び湿度となるように、加温、減温、加湿又は吸湿するような指令データを作成する。この作成された指令データが加温湿装置８に出力される。
【００２４】
温度調整部１００ｅは、現在のルーム本体１内の温度データと、記憶部１００ｂに記憶しておいたルーム本体１内の温度設定データとを比較し、現在のルーム本体１内の温度データが、記憶部１００ｂに記憶しておいたルーム本体１内の温度設定データと一致しているか否かを確認する。一致していれば、発熱手段１０に現在の温度を保つような指令データを作成し、一致していなければ、発熱手段１０にルーム本体１内が、記憶部１００ｂに記憶された温度となるように、加温又は減温するような指令データを作成する。この作成された指令データが発熱手段１０に出力される。
【００２５】
以上説明した本発明の一実施形態によれば、加温湿装置８によりルーム本体１内の温度及び湿度を一定に保つ空気を生成し、その空気を、パイプ等を介して、給気送風機６ａにより前記ルーム本体１内に導入する。その給気送風機６ａは、スリット状の開口部を設け、内装側壁ベース４ｂ及び内装床壁ベース４ｃの縁に沿って長手方向に連続して設けられているものであり、スリット状の開口部より前記ルーム本体１内にルーム本体１内の温度及び湿度を一定に保つ空気を導入する。そして、ルーム本体１内に漂っている古い空気は、給気送風機６ａの対角線上に設けられた排気送風機６ｂにより外部へ排出されるため、常に新鮮で、且つ、最適な温度及び湿度の空気をルーム本体１内に循環させることができる。
【００２６】
そして、それに加え、前記ルーム本体１内の内装天井壁ベース４ａ、内装側壁ベース４ｂ、内装床壁ベース４ｃに夫々埋設され、ルーム本体１内の温度及び湿度を計測する温湿度センサー７を設け、あらかじめ前記ルーム本体１内の温度設定及び湿度設定を行い、該設定温度及び設定湿度と前記温湿度センサー７により計測した温度及び湿度とを比較し、前記設定温度及び設定湿度となるように、前記発熱手段１０及び前記加温湿装置８を制御してなる温湿度調整装置１００を備えている。そのため、血圧の高い人が入浴しても心臓に負担がかからず安心して入浴することができ、人間の細胞が正常に活性化し、さらには、細菌感染や、疲労物質などで傷ついた細胞を修復し、ガン細胞や病原菌を攻撃する、ナチュラルキラー（ＮＫ）細胞を活性化させ、免疫力を高めてくれると言われているヒートショックプロテイン（ＨｅａｔＳｈｏｃｋＰｒｏｔｅｉｎ）という抗ストレス蛋白質を産生させることができる温度３８℃〜４５℃を保ち、さらには、入浴者がじっくり汗をかくために長時間無理せずサウナルーム等にいることができる快適な湿度３０％〜５０％に保つことができる。
【００２７】
また、加温湿装置８に一端外気を導入し温度及び湿度を一定に保つ空気を生成している。そのため、単に外気をルーム本体１内に直接いれているわけではないため、ルーム本体１内の温湿度が急激に変化せず、ルーム本体１内の温湿度が略均一に保たれ、ルーム本体１内の温度や湿度を急激に加温又は加湿等しなくてもよいため、無駄なエネルギー損失を防止することができる。
【００２８】
なお、この実施形態では、給気送風機６ａは、スリット状の開口部を設け、内装側壁ベース４ｂ及び内装床壁ベース４ｃの縁に沿って長手方向に連続して設けられ、排気送風機６ｂは、給気送風機６ａの対角線上に設けられている。しかし、給気送風機６ａ、排気送風機６ｂは、ともに他の位置に設けてもよい。ただし、ルーム内の空気を新鮮な状態で循環させるため、給気送風機６ａは排気送風機６ｂの対角線上に設けるか、もしくは、給気送風機６ａ及び排気送風機６ｂを互いにルーム本体１の外周囲に設け、その外周囲に設ける位置は、ルーム本体１内を介して対向する位置に設けるのが好ましい。
【００２９】
また、この実施形態では、温湿度センサー７を、内装天井壁ベース４ａ、内装側壁ベース４ｂ、内装床壁ベース４ｃに夫々埋設して設けたが、ルーム本体１内の温湿度を計測できる位置であればどの位置であってもよい。
【００３０】
さらに、この実施形態では、精製塩又は天然塩の溶融成形物５でルーム本体１内が覆われたサウナルームで使用したが、他のサウナルームで使用してもよい。しかし、精製塩又は天然塩の溶融成形物５でルーム本体１内が覆われたサウナルームで本発明のシステムを使用した方が好ましい。というのも、遠赤外線の波長が長ければ長いほど（なお、遠赤外線の波長が人体に浸透する最大波長は１ｃｍであると知られている。）、人間の身体を、芯から深く温められることが知られているが、この遠赤外線をより通す素材として塩と、セラミックが知られている。ただ、セラミックは細菌を繁殖しやすいという欠点があるのに対して、塩は殺菌効果が高く細菌が発生しにくいということが知られている。そのため、精製塩又は天然塩の溶融成形物５でルーム本体１内が覆われたサウナルームで本発明を使用した方が、入浴者に、不衛生でなく、且つ、身体を芯から深く温め、新陳代謝が活性化すると共に、高い疲労回復の効果を得る快適なサウナルームを提供することができるからである。
【００３１】
また、本発明の他の実施形態としては、図３に示すようなサウナルームに用いることもできる。図３に示すサウナルームは、空間３に、発光素子取り付け部材１１が設けられ、該発光素子取り付け部材１１には、精製塩又は天然塩の溶融成形物５に映像を表示させるため、多数の発光素子１２が、デジタル画像を表現するように画素的に配列されている。そして、音響設備１３が、空間３のコーナー部に設けられ、この発光素子１２の発光及び音響設備１３から流れる音楽の制御を制御装置１０１で行っている。なお、ここでの映像とは、静止画や動画を含む概念である。また、映像として表現するために、発光素子１２は、赤色、青色、緑色の３色の発光素子が束ねられて一個の発光素子１２を構成している。
【００３２】
このような図３に示すサウナルームに、本発明を使用すると、上述した入浴効果に加え、音楽や、映像効果も加わり、入浴者がより快適に過ごすことができるため、入浴者の自律神経をより安定化させることができる。また、音楽や映像効果により、精神疾患、発達障害、又は自閉症などの治療として使用されている色彩療法や音楽療法としても、本発明を使用したサウナルームを使用することができる。なお、精製塩又は天然塩の溶融成形物５は乳白色の半透明であることが好ましい。前記溶融成形物５の裏面から照射した前記発光素子１２の光を通し、さらにその光が、水彩画で描いたような滲んだ色合いとなる。そのため、サウナルーム内に、より幻想的な映像空間を形成することができ、入浴者の自律神経をより安定化させ、入浴者の心身をよりリラックスさせることができるためである。
【００３３】
また、他の実施形態としては、サウナルームでなくとも、岩盤浴施設等で使用することも可能である。
【図面の簡単な説明】
【００３４】
【図１】本発明の一実施形態をサウナルームに使用した場合の縦断面図である。
【図２】本発明の一実施形態に係る温湿度調整装置のブロック図である。
【図３】本発明を他のサウナルームに使用した場合の縦断面図である。
【符号の説明】
【００３５】
１          ルーム本体
２          建物躯体
３          空間
６ａ        給気送風機
６ｂ        排気送風機
７          温湿度センサー
８          加温湿装置
１０        発熱手段
１００      温湿度調整装置
【図１】
2009279136.tif 000003
【図２】
2009279136.tif 000004
【図３】
2009279136.tif 000005